(57)【特許請求の範囲】
【請求項１】
高圧配電線路の仮送電に用いる高圧仮送電ケーブルであって、
導電材料を用いて形成された導電部と当該導電部を覆い絶縁材料を用いて形成された被覆とを備えたケーブル部と、
前記ケーブル部の一端において前記導電部に電気的に接続される一次側接続部と、
前記ケーブル部の他端において前記導電部に電気的に接続される二次側接続部と、
を備え、
前記一次側接続部は、
前記高圧配電線路の仮送電区間における一次側の導電部材を把持する、略Ｕ字形状に湾曲したフック部を備えたクランプ本体からなる第１の把持部材と、
前記第１の把持部材が前記一次側の導電部材を把持した状態で固定する、前記フック部に対して接離可能に設けられた押し金具と、前記フック部に対する前記押し金具の位置を固定する固定具と、からなるストレーリングトング状の構造をなす第１の固定部材と、
を備え、
前記二次側接続部は、
前記高圧配電線路の仮送電区間における二次側の導電部材を把持する第２の把持部材と、
前記第２の把持部材が前記二次側の導電部材を把持した状態で固定する第２の固定部材と、
前記第２の固定部材によって固定された状態において、前記高圧配電線路を構成する電線に設けられた絶縁体を貫通し当該絶縁体の内側の導体に接触するカットスルー刃と、
を備えたことを特徴とする高圧仮送電ケーブル。
【請求項２】
前記一次側接続部は、前記押し金具の接離を操作する回転型の間接活線作業の工具の先端に設けられた連結金具の挿入を受け付ける連結金具を備えたことを特徴とする請求項１に記載の高圧仮送電ケーブル。
【請求項３】
前記二次側接続部は、略Ｕ字形状に湾曲したフック部を備えたクランプ本体と、前記フック部に対して接離可能に設けられた押し金具と、前記カットスルー刃と、からなるカットスルークランプ状の構造をなすことを特徴とする請求項１または２に記載の高圧仮送電ケーブル。
【請求項４】
前記二次側接続部は、当該二次側接続部の前記押し金具の接離を操作する回転型の間接活線作業の工具の先端に設けられた連結金具の挿入を受け付ける連結金具を備えたことを特徴とする請求項３に記載の高圧仮送電ケーブル。
【発明の詳細な説明】
【技術分野】
【０００１】
この発明は、高圧架空配電線路が断線した場合の仮復旧に用いる高圧仮送電ケーブルに関する。
【背景技術】
【０００２】
高圧架空配電線路には、当該高圧架空配電線路の開閉をおこなう柱上開閉器が設置されている。高圧架空配電線路における電線は、当該電線の先端に取り付けられた、羽子板端子板を備えた圧縮端子を、柱上開閉器が備える端子に固定することによって、当該柱上開閉器に電気的に接続される。圧縮端子は、羽子板端子板と固定され、一端側から電線の先端が挿入されるキャップ状の圧着部を備えており、当該圧着部に挿入された電線に圧着されることによって、電線の先端に固定される。
【０００３】
圧着端子が、柱上開閉器との接続位置において固定されているため、当該圧着端子が固定された電線が風などの影響によって振動したり揺動したりすることに起因して、圧縮端子における圧着部の縁部あるいはその近傍において、電線が疲労断線してしまうことがあった。
【０００４】
従来、このような断線が生じた場合、たとえば、断線を生じた柱上開閉器よりも一次側の架線に分岐線を接続するとともに、当該柱上開閉器よりも二次側の架線に別の分岐線を接続し、第一分岐線と第二分岐線との間に工事用開閉器を設け、当該工事用開閉器を介して仮送電をおこなっている間に第一分岐線と第二分岐線との間を停電させ、断線部分の復旧をおこなっていた。あるいは、従来、このような断線が生じた場合、たとえば、断線を生じた柱上開閉器よりも一次側と二次側とをジャンパーケーブルによって接続し、当該ジャンパーケーブルによって仮送電をおこなっていた。
【０００５】
関連する技術として、従来、引込口接続器の電源側電線を挟持しうる挟持部とバイパス線接続部を備えたバイパス接続具と、開閉器あるいは端子接続部に接触する接触部とバイパス線接続部を有する開閉器用のバイパス接続具と、を備えたバイパス線接続装置に関する技術（下記特許文献１を参照）や、バイパスケーブルの端部に設けられたバイパス接続具を備え、当該バイパス接続具を配電線の接続箇所の両側に装着して両側間をバイパスするバイパス接続装置に関する技術（下記特許文献２を参照）があった。
【先行技術文献】
【特許文献】
【０００６】
【特許文献１】特開平９−１０３００９号公報
【特許文献２】特開２００６−２７１１３４号公報
【発明の概要】
【発明が解決しようとする課題】
【０００７】
しかしながら、上述した従来の技術のように、高圧架空配電線路において生じた断線部分において工事用開閉器を介して仮送電をおこなう場合、断線した電線以外の線についてもケーブル取付の必要がある。このため、工事用開閉器で仮送電をおこなう場合は、復旧までに時間を要し、停電する時間が長くなってしまうという問題があった。また、この場合、柱上開閉器より一次側（電源側）も停電させる必要があり、仮送電のために停電する範囲が拡大してしまうという問題があった。
【０００８】
また、上述した従来の技術のように、ジャンパーケーブルを介して仮送電をおこなう場合、断線を生じた柱上開閉器をまたいでジャンパーケーブルを取り付ける必要がある。このため、三相不平衡を防ぐために柱上開閉器より一次側（電源側）も停電させ、ジャンパーケーブルを接続した後に仮送電するという手順になり、仮送電のために停電する範囲が拡大してしまうという問題があった。
【０００９】
この発明は、上述した従来技術による問題点を解消するため、高圧架空配電線路において断線が生じた場合に、停電範囲の拡大を抑え、断線を早期に仮復旧させることができる高圧仮送電ケーブルを提供することを目的とする。
【課題を解決するための手段】
【００１０】
上述した課題を解決し、目的を達成するため、この発明にかかる高圧仮送電ケーブルは、高圧配電線路の仮送電に用いる高圧仮送電ケーブルであって、導電材料を用いて形成された導電部と当該導電部を覆い絶縁材料を用いて形成された被覆とを備えたケーブル部と、前記ケーブル部の一端において前記導電部に電気的に接続され、前記高圧配電線路の仮送電区間における一次側の導電部材を把持する第１の把持部材と、当該第１の把持部材が前記一次側の導電部材を把持した状態で固定する第１の固定部材と、を備えた一次側接続部と、前記ケーブル部の他端において前記導電部に電気的に接続され、前記高圧配電線路の仮送電区間における二次側の導電部材を把持する第２の把持部材と、当該第２の把持部材が前記二次側の導電部材を把持した状態で固定する第２の固定部材と、を備えた二次側接続部と、を備えたことを特徴とする。
【００１１】
また、この発明にかかる高圧仮送電ケーブルは、上記の発明において、前記一次側接続部および前記二次側接続部の少なくとも一方が、略Ｕ字形状に湾曲したフック部を備えたクランプ本体と、前記フック部に対して接離可能に設けられた押し金具と、前記フック部に対する前記押し金具の位置を固定する固定具と、を備えたストレーリングトング状の構造をなすことを特徴とする。
【００１２】
また、この発明にかかる高圧仮送電ケーブルは、上記の発明において、前記一次側接続部および前記二次側接続部の少なくとも一方が、少なくとも前記第１の固定部材または前記第２の固定部材によって固定された状態において、前記高圧配電線路を構成する電線に設けられた絶縁体を貫通し当該絶縁体の内側の導体に接触するカットスルー刃を備えたことを特徴とする。
【発明の効果】
【００１３】
この発明にかかる高圧仮送電ケーブルによれば、高圧架空配電線路において断線が生じた場合に、停電範囲の拡大を抑え、断線を早期に仮復旧させることができるという効果を奏する。
【図面の簡単な説明】
【００１４】
【図１】この発明にかかる実施の形態の高圧仮送電ケーブルの構成を示す説明図である。
【図２】柱上開閉器の一例を示す説明図である。
【図３】柱上開閉器との接続部分の近傍で電線が断線した状態を示す説明図である。
【図４】この発明にかかる実施の形態の高圧仮送電ケーブルを用いた、仮送電の作業手順を示す説明図（その１）である。
【図５】この発明にかかる実施の形態の高圧仮送電ケーブルを用いた、仮送電の作業手順を示す説明図（その２）である。
【図６】この発明にかかる実施の形態の高圧仮送電ケーブルを用いた、仮送電の作業手順を示す説明図（その３）である。
【図７】この発明にかかる実施の形態の高圧仮送電ケーブルを用いた、仮送電の作業手順を示す説明図（その４）である。
【図８】この発明にかかる実施の形態の高圧仮送電ケーブルを用いた、仮送電の作業手順を示す説明図（その５）である。
【発明を実施するための形態】
【００１５】
以下に添付図面を参照して、この発明にかかる高圧仮送電ケーブルの好適な実施の形態を詳細に説明する。
【００１６】
（高圧仮送電ケーブルの構成）
まず、この発明にかかる実施の形態の高圧仮送電ケーブルの構成について説明する。図１は、この発明にかかる実施の形態の高圧仮送電ケーブルの構成を示す説明図である。図１において、この発明にかかる実施の形態の高圧仮送電ケーブル１００は、一次側接続部１１０と、二次側接続部１２０と、ケーブル部１３０と、を備えている。
【００１７】
一次側接続部１１０は、クランプ本体１１１と、ねじ軸１１２と、押し金具１１３と、連結金具１１４と、を備え、ストレーリングトング状の構造をなす。クランプ本体１１１、ねじ軸１１２、押し金具１１３および連結金具１１４は、いずれも、金属材料などの導電性を有する物質を用いて形成されている。
【００１８】
クランプ本体１１１は、略Ｕ字形状に湾曲したフック部１１１ａと、ねじ軸１１２を支持する支持部１１１ｂと、を備えている。クランプ本体１１１は、この発明にかかる第１の把持部材を実現する。ねじ軸１１２は、外周面にねじ山が設けられており、クランプ本体１１１に設けられて支持部１１１ｂを貫通するねじ穴に、当該ねじ穴を貫通するように螺合されている。
【００１９】
押し金具１１３は、ねじ軸１１２における、クランプ本体１１１の内周側に位置する先端部分に設けられている。押し金具１１３は、支持部１１１ｂに対するねじ軸１１２の螺合状態に応じて、クランプ本体１１１におけるフック部１１１ａに対して接離する方向に沿って移動する。押し金具１１３において、フック部１１１ａ側の面には、中央部ほど当該フック部１１１ａから離反する方向に湾曲する凹部１１３ａが設けられている。ねじ軸１１２および押し金具１１３は、この発明にかかる第１の固定部材を実現する。
【００２０】
連結金具１１４は、ねじ軸１１２における、押し金具１１３と反対側の端部に設けられている。連結金具１１４は、間接活線作業に用いる工具の一つである、回転型の共用操作棒の先端に設けられた連結金具の挿入を受け付け、当該回転型の共用操作棒の連結金具と係合する挿入凹部を備える。回転型の共用操作棒の連結金具１１４は、当該回転型の共用操作棒の軸心と平行な軸心周りに回動可能とされている。
【００２１】
回転型の共用操作棒は、当該回転型の共用操作棒の本体部分に対して当該回転型の共用操作棒の連結金具１１４を回動させるハンドルを備えている。連結金具は、ねじ軸１１２に対して、当該ねじ軸１１２の軸心を中心として回動可能に設けられている。
【００２２】
挿入凹部に回転型の共用操作棒の連結金具１１４が挿入された状態でハンドルを回転させることによって、当該回転型の共用操作棒の本体部分に対して当該回転型の共用操作棒の連結金具１１４を回動させると、連結金具１１４が回動する。支持部１１１ｂに対するねじ軸１１２の螺合状態は、連結金具の回動に連動して移動する。支持部１１１ｂに対するねじ軸１１２の螺合状態が変化することにより、押し金具１１３をフック部１１１ａに近づけたり、離したりすることができる。
【００２３】
二次側接続部１２０は、クランプ本体１２１と、ねじ軸１２２と、押し金具１２３と、カットスルー刃１２４と、連結金具１２５と、を備え、カットスルークランプ状の構造をなす。クランプ本体１２１は、この発明にかかる第２の把持部材を実現する。二次側接続部１２０におけるねじ軸１２２および押し金具１２３は、この発明にかかる第２の固定部材を実現する。クランプ本体１２１、ねじ軸１２２、押し金具１２３、カットスルー刃１２４および連結金具１２５は、いずれも、金属材料などの導電性を有する物質を用いて形成されている。二次側接続部１２０におけるクランプ本体１２１、ねじ軸１２２、押し金具１２３および連結金具１２５は、一次側接続部１１０おけるクランプ本体１１１、ねじ軸１１２、押し金具１１３および連結金具１１４と同様の構成であるため説明を省略する。
【００２４】
カットスルー刃１２４は、鋭利な刃をクランプ本体１２１におけるフック部１２１ａに対向させた状態で、押し金具１２３に設けられている。押し金具１２３は、支持部１２１ｂに対するねじ軸１２２の螺合状態に応じて、クランプ本体１２１におけるフック部１２１ａに対して接離する方向に沿って移動する。カットスルー刃１２４は、連結金具１２５を回動させることによる、フック部１２１ａに対する押し金具１２３の移動にともなって、フック部１２１ａに対して接離する方向に沿って移動する。
【００２５】
ケーブル部１３０は、一次側接続部１１０と二次側接続部１２０とを接続する。ケーブル部１３０は、導体によって形成されたケーブル本体（図示を省略する）と、当該ケーブル本体を覆う被覆１３１と、を備えている。ケーブル本体は、導電性を有する材料を用いて形成され、一次側接続部１１０と二次側接続部１２０とを電気的に接続する。ケーブル本体は、この発明にかかる導電部を実現する。被覆１３１は、絶縁材料によって形成されている。被覆１３１は、具体的には、たとえば、架橋ポリエチレンなどによって形成することができる。
【００２６】
（高圧仮送電ケーブル１００の取り付け対象）
つぎに、この発明にかかる実施の形態の高圧仮送電ケーブル１００の取り付け対象について説明する。この発明にかかる実施の形態の高圧仮送電ケーブル１００は、たとえば、柱上開閉器に接続されるケーブルが断線した場合に、当該柱上開閉器と断線したケーブルとを仮接続する場合に用いられる。
【００２７】
図２は、柱上開閉器の一例を示す説明図である。図２において、柱上開閉器２０１は、たとえば、電柱２００に設置される。柱上開閉器２０１は、ケーシング２０１ａと、接続端子と、指針２０１ｂとを備えている。ケーシング２０１ａは、図示を省略する開閉機構など、柱上開閉器２０１を構成する各種の部材を収納する、密閉された空間を形成する。
【００２８】
接続端子は、ケーシング２０１ａにおける略対向する２つの面にそれぞれ３つずつ設けられている。ケーシング２０１ａにおける略対向する２つの面のうち、一方の面に設けられた接続端子（図示を省略する）には、一次側（電源側）の線路が接続される。また、ケーシング２０１ａにおける略対向する２つの面のうち、他方の面に設けられた接続端子には、二次側（負荷側）の線路が接続される。
【００２９】
接続端子は、羽子板固定部（図５における符号５０１を参照）を備えている。羽子板固定部は、金属材料などの導電性を有する物質を用いて形成されており、略板形状をなす。接続端子には、高圧架空配電線路を構成する電線２０２が接続される。この電線２０２は、当該電線２０２の先端に設けられた圧縮端子（図５における符号５０２を参照）が備える羽子板端子板を、金属製のボルトなどを用いて羽子板固定部に固定することによって、柱上開閉器２０１に電気的に接続される。羽子板端子板や羽子板固定部は、所定の端子カバー２０３によって覆われている。
【００３０】
ケーシング２０１ａが形成する密閉された空間内に設けられた開閉機構は、ケーシング２０１ａにおける一方の面に設けられた接続端子とケーシング２０１ａにおける他方の面に設けられた接続端子との間を、電気的に接続する閉状態および電気的接続を切断する開状態に切り替える。
【００３１】
指針２０１ｂは、ケーシング２０１ａにおける一方の面および他方の面とは異なる別の面（図２における紙面手前側の面）に設けられている。指針２０１ｂは、ケーシング２０１ａにおける別の面に軸支されており、軸支された位置を中心として、当該別の面に沿って揺動可能に設けられている。指針２０１ｂは、開閉機構の切り替え動作に連動して揺動し、開閉機構が「入」状態（閉状態）であるか「切」状態（開状態）であるかを指し示す。図２においては、指針２０１ｂは、開閉機構が「切」状態であること、すなわち、開閉機構が開状態であることを指し示している。
【００３２】
柱上開閉器２０１に接続される電線２０２は、導体によって形成されたケーブル本体と、当該ケーブル本体を覆う被覆と、を備えている。ケーブル本体は、導電性を有する材料を用いて形成され、一次側接続部１１０と二次側接続部１２０とを電気的に接続する。ケーブル本体は、この発明にかかる導電部を実現する。被覆は、絶縁材料によって形成されている。被覆は、具体的には、たとえば、架橋ポリエチレンなどによって形成することができる。
【００３３】
図２に示した柱上開閉器２０１に接続された電線２０２は、上記のように、先端に設けられた圧縮端子が備える羽子板端子板を、柱上開閉器２０１の羽子板固定部に固定されている。このため、従来、柱上開閉器２０１に接続された電線２０２が風などの影響によって振動したり揺動したりすると、その振動や揺動に起因して、電線２０２が、柱上開閉器２０１との接続部分あるいはその近傍で疲労断線してしまうことがあった。
【００３４】
柱上開閉器２０１の二次側に接続されていた電線２０２が断線すると、柱上開閉器２０１より二次側において停電が発生する。このため、断線した線路においては早急な復旧が要求される。断線した線路を、断線する前の状態に復旧するためには、資材や機材を調達したり作業員を確保したりするなど事前の準備が必要である。一方で、事前の準備が整ってから復旧作業をおこなうのでは、停電の状態が長時間にわたってしまう。このため、断線した線路を仮復旧し、後日準備が整ってから本復旧するという対応がとられる。仮復旧から本復旧までは、仮送電がおこなわれる。従来の方法では、この仮送電を、工事用開閉器やジャンパーケーブルを介しておこなうため、停電する範囲が拡大してしまっていた。
【００３５】
仮送電のために停電する範囲の拡大を抑えるためには、断線部分を仮送電用のケーブルで中継することが考えられるが、柱上開閉器２０１との接続部分あるいはその近傍で電線２０２が断線した場合、柱上開閉器２０１側に残っている電線２０２は存在しない（圧縮端子のみ）か、ごく短くなっていることも多い。
【００３６】
図３は、柱上開閉器２０１との接続部分の近傍で電線２０２が断線した状態を示す説明図である。図３においては、断線した電線２０２の先端２０２ａが中空に浮いた状態となっている。このように、断線した電線２０２どうしの接続は、接続対象とする相互の電線２０２の端部の被覆を剥ぎ取って導体を露出させ、露出させた導体どうしを圧縮スリーブなどを用いて接続することによっておこなうが、図３において矢印３０１で示すように、柱上開閉器２０１との接続部分あるいはその近傍で電線２０２が断線した場合、中継する仮送電用のケーブルを、柱上開閉器２０１側における電線２０２に接続することが難しい。
【００３７】
また、電線２０２どうしの接続に際して、接続対象とする相互の電線２０２の端部の被覆を剥ぎ取って導体を露出させる作業は煩雑であり、急を要する仮復旧作業に時間がかかってしまう。このように、従来は、送電線路において断線が生じた場合に、停電範囲の拡大を抑え、断線を早期に仮復旧させることが難しかった。以下に説明するこの発明にかかる実施の形態の仮送電の作業手順によれば、このような困難を解消することができる。
【００３８】
（仮送電の作業手順）
つぎに、この発明にかかる実施の形態の高圧仮送電ケーブル１００を用いた、仮送電の作業手順について説明する。図４、図５、図６、図７および図８は、この発明にかかる実施の形態の高圧仮送電ケーブル１００を用いた、仮送電の作業手順を示す説明図である。
【００３９】
高圧仮送電ケーブル１００を用いた仮送電の作業に際しては、まず、断線によって先端が中空に浮いている状態の電線２０２の先端２０２ａに端末キャップ４０１を取り付ける（図４を参照）。端末キャップ４０１は、公知の各種の端末キャップ４０１を用いることができる。また、端末キャップ４０１の取り付けに代えて、断線した電線２０２において露出する導体に、ビニールテープなどを巻き付けることによって当該導体を絶縁してもよい。
【００４０】
つぎに、柱上開閉器２０１における接続端子の端子カバー２０３を取り外す（図５を参照）。端子カバー２０３を取り外すと、羽子板固定部５０１および断線した電線２０２の先端に取り付けられていた圧縮端子５０２が露出される。圧縮端子５０２における羽子板端子板は、羽子板固定部５０１にボルトによって固定されているため、圧縮端子５０２と羽子板固定部５０１、すなわち、圧縮端子５０２と柱上開閉器２０１とは電気的に接続されたままとなっている。
【００４１】
そして、露出された圧縮端子５０２における圧着部に、高圧仮送電ケーブル１００の一次側接続部１１０を取り付ける（図６を参照）。一次側接続部１１０の取り付けは、まず、押し金具がフック部から離間する方向にねじ軸１１２を回動させ、押し金具１１３とフック部１１１ａとの間を、圧着部の外径寸法以上に開いた状態で、一次側接続部１１０における連結金具１１４を、回転型の共用操作棒の先端に取り付ける。
【００４２】
つぎに、フック部１１１ａを圧縮端子５０２における圧着部５０２ａに引っ掛ける。このとき、押し金具１１３とフック部１１１ａとの間に圧着部５０２ａが位置するように、フック部１１１ａを圧着部５０２ａに引っ掛ける。そして、このようにフック部１１１ａを圧着部５０２ａに引っ掛けた状態で、押し金具１１３がフック部１１１ａに近づく方向に、回転型の共用操作棒のハンドルを回転させる。これにより、押し金具１１３とフック部１１１ａとの間に圧着部５０２ａを挟んだ状態で、一次側接続部１１０を圧着部５０２ａ（圧縮端子５０２）に取り付けることができる。圧縮端子５０２と柱上開閉器２０１とは電気的に接続されているため、一次側接続部１１０は、圧縮端子５０２を介して、柱上開閉器２０１に電気的に接続される。
【００４３】
つぎに、断線した電線２０２に、高圧仮送電ケーブル１００の二次側接続部１２０を取り付ける（図７を参照）。二次側接続部１２０の取り付けは、まず、押し金具１２３およびカットスルー刃１２４がフック部１２１ａから離間する方向にねじ軸１２２を回動させ、カットスルー刃１２４の刃の先端とフック部１２１ａとの間を、圧着部５０２ａの外径寸法以上に開いた状態で、二次側接続部１２０における連結金具１２５を、回転型の共用操作棒の先端に取り付ける。
【００４４】
つぎに、フック部１２１ａを断線した電線２０２に引っ掛ける。そして、フック部１２１ａを断線した電線２０２に引っ掛けた状態で、押し金具１２３およびカットスルー刃１２４がフック部１２１ａに近づく方向に、回転型の共用操作棒のハンドルを回転させる。回転型の共用操作棒のハンドルの回転にともなって、押し金具１２３がフック部１２１ａに近づくと、カットスルー刃１２４が電線２０２の被覆に突き刺さる。
【００４５】
この状態からさらに回転型の共用操作棒のハンドルを回転させると、カットスルー刃１２４が被覆を突き抜け、被覆の内側の電線２０２に突き刺さる。これにより、二次側接続部１２０は、カットスルー刃１２４を介して、断線した電線２０２に電気的に接続される。この発明にかかる実施の形態の高圧仮送電ケーブル１００においては、二次側接続部１２０が備えるカットスルー刃１２４を電線２０２に突き刺すことによって、二次側接続部１２０と断線した電線２０２とを容易に電気的に接続することができる。
【００４６】
そして、回転型の共用操作棒のハンドルは、断線により２つに分断された電線２０２のうち二次側の電線２０２を、押し金具１２３とクランプ本体１２１におけるフック部１２１ａとの間に挟んだ状態、すなわち、押し金具１２３およびフック部の１２１ａいずれにも電線２０２の外表面が当接した状態になるまで回転させる。これにより、二次側接続部１２０と断線した電線２０２とを電気的に接続した状態で、電線２０２に対するカットスルー刃１２４の位置を固定することができる。
【００４７】
その後、一次側接続部１１０および二次側接続部１２０を覆う絶縁用の防具８０１を取り付ける（図８を参照）。一次側接続部１１０を覆う絶縁用の防具８０１は、具体的には、一次側接続部１１０、接続端子、圧縮端子５０２、および圧縮端子５０２と一体になっている断線部分を、周囲から絶縁した状態で覆うように取り付ける。二次側接続部１２０を覆う絶縁用の防具８０１は、具体的には、二次側接続部１２０と、被覆におけるカットスルー刃１２４が突き刺さっている部分と、を周囲から絶縁した状態で覆うように取り付ける。
【００４８】
上述した実施の形態は、クランプ本体１１１とねじ軸１１２と押し金具１１３と連結金具１１４とを備え、ストレーリングトング状の構造をなす一次側接続部１１０を備えた高圧仮送電ケーブル１００について説明したが、この発明にかかる実施の形態の高圧仮送電ケーブル１００は、これに限るものではない。この発明にかかる実施の形態の高圧仮送電ケーブル１００における一次側接続部１１０は、たとえば、ストレーリングトング状の構造をなす一次側接続部１１０に代えて、たとえば、上記の二次側接続部１２０のように、クランプ本体１２１とねじ軸１２２と押し金具１２３とカットスルー刃１２４とを備えたカットスルークランプ状の構造によって実現してもよい。
【００４９】
このような、一次側接続部１１０および二次側接続部１２０のいずれもがカットスルークランプ状の構造をなす高圧仮送電ケーブル１００は、たとえば、断線により２つに分断された両電線２０２のいずれにも、カットスルークランプ状の一次側接続部１１０および二次側接続部１２０を取り付けることが可能な余長がある場合に、当該断線した電線２０２の仮復旧に用いることができる。
【００５０】
以上説明したように、この発明にかかる実施の形態の高圧仮送電ケーブル１００は、高圧配電線路の仮送電に用いる高圧仮送電ケーブル１００であって、導電部を実現するケーブル本体とケーブル本体を覆う被覆とを備えたケーブル部１３０と、第１の把持部材を実現するクランプ本体１１１と、第１の固定部材を実現するねじ軸１１２および押し金具１１３と、を備えた一次側接続部１１０と、第２の把持部材を実現するクランプ本体１２１と、第２の固定部材を実現するねじ軸１２２および押し金具１２３と、を備えた二次側接続部１２０と、を備えたことを特徴としている。
【００５１】
この発明にかかる実施の形態の高圧仮送電ケーブル１００によれば、高圧配電線路の仮送電区間における一次側の導電部材である羽子板固定部５０１を一次側接続部１１０によって把持するだけで、羽子板固定部５０１と一次側接続部１１０とを容易かつ確実に接続することができる。また、この発明にかかる実施の形態の高圧仮送電ケーブル１００によれば、高圧配電線路の仮送電区間における二次側の導電部材である断線した電線２０２を二次側接続部１２０によって把持するだけで、当該断線した電線２０２と二次側接続部１２０とを容易かつ確実に接続することができる。これにより、送電線路において断線が生じた場合に、停電範囲の拡大を抑え、断線を早期に仮復旧させることができる。
【００５２】
また、この発明にかかる実施の形態の高圧仮送電ケーブル１００によれば、一次側接続部１１０および二次側接続部１２０が、略Ｕ字形状に湾曲したフック部１１１ａ、１２１ａを備えたクランプ本体１１１、１２１と、フック部１１１ａ、１２１ａに対して接離可能に設けられた押し金具１１３、１２３と、フック部１１１ａ、１２１ａに対する押し金具１１３、１２３の位置を固定する固定具を実現するねじ軸１１２、１２２と、を備えた構造をなすことを特徴としている。
【００５３】
高圧仮送電ケーブル１００において、フック部１１１ａ、１２１ａや押し金具１１３、１２３は、一次側接続部１１０および二次側接続部１２０の少なくとも一方が備えていることが好ましい。
【００５４】
この発明にかかる実施の形態の高圧仮送電ケーブル１００によれば、クランプ本体１１１、１２１が略Ｕ字形状に湾曲したフック部１１１ａ、１２１ａを備えているため、高圧仮送電ケーブル１００の接続対象とする位置にフック部１１１ａ、１２１ａを引っ掛けることができ、フック部１１１ａ、１２１ａを引っ掛けた後に、クランプ本体１１１、１２１を高圧仮送電ケーブル１００の接続対象とする位置に固定する作業をおこなうことができる。これにより、たとえば、架空配電線のように高圧仮送電ケーブル１００の接続対象とする位置が固定されていない不安定な状態であっても、高圧仮送電ケーブル１００を容易に接続することができ、断線を早期に仮復旧させることができる。
【００５５】
また、一次側接続部１１０は、羽子板固定部５０１を把持することによって羽子板固定部５０１との電気的な接続を確保することができるので、圧縮端子５０２における圧着部５０２ａの縁部あるいはその近傍において電線２０２が断線した場合にも、当該断線した電線２０２と一次側接続部１１０とを容易かつ確実に電気的に接続することができる。
【００５６】
また、この発明にかかる実施の形態の高圧仮送電ケーブル１００は、二次側接続部１２０が、高圧配電線路（高圧架空配電線路）を構成する電線２０２に設けられた絶縁体である被覆を貫通し、当該絶縁体の内側の導体に接触するカットスルー刃１２４を備えたことを特徴としている。これにより、高圧仮送電ケーブル１００を容易に接続することができ、断線を早期に仮復旧させることができる。
【００５７】
この発明にかかる実施の形態の高圧仮送電ケーブル１００によれば、二次側接続部１２０を断線した電線２０２に固定するだけで、当該断線した電線２０２と二次側接続部１２０とを電気的に接続することができる。これにより、断線した電線２０２と二次側接続部１２０との接続作業を短時間でおこなうことができ、断線を早期に仮復旧させることができる。
【００５８】
このように、この発明にかかる実施の形態の高圧仮送電ケーブル１００によれば、現地の開閉器の開閉機構を損なったり、停電範囲を拡大したりすることなく仮送電をおこなうことができる。これにより、仮送電に要する停電時間を短くし、早期に復旧することができる。
【００５９】
また、この発明にかかる実施の形態の高圧仮送電ケーブル１００によれば、一次側接続部１１０はフック部１１１ａを引っ掛けた状態でねじ軸１１２を締め込むだけで羽子板固定部５０１に電気的に接続することができ、二次側接続部１２０はフック部１２１ａを引っ掛けた状態でねじ軸１２２を締め込むだけで断線した電線２０２の導電部材に電気的に接続することができる。これにより、作業者が不用意に充電部に接触することを防止し、作業における安全性を確保することができる。
【００６０】
この発明にかかる実施の形態の高圧仮送電ケーブル１００によれば、特に、一次側接続部１１０はフック部１１１ａと押し金具１１３とによって羽子板固定部５０１を挟持し、二次側接続部１２０のみにカットスルー刃１２４を設けて、フック部１２１ａと押し金具１２３とによって断線した電線２０２を挟持する際に、当該電線２０２にカットスルー刃１２４を食い込ませ二次側接続部１２０と断線した電線２０２との電気的な接続を確保している。これにより、二次側接続部１２０と断線した電線２０２とを容易に電気的に接続することができ、仮送電に要する停電時間を短くし、早期に復旧することができる。
【産業上の利用可能性】
【００６１】
以上のように、この発明にかかる高圧仮送電ケーブルは、高圧配電線路における仮復旧作業に有用であり、特に、柱上開閉器などの配電設備の近傍において当該配電設備に接続される電線が断線した場合の仮復旧作業に適している。
【符号の説明】
【００６２】
１００  高圧仮送電ケーブル
１１０  一次側接続部
１１１  クランプ本体
１１１ａ  フック部
１１１ｂ  支持部
１１２  ねじ軸
１１３  押し金具
１１４  連結金具
１２０  二次側接続部
１２１  クランプ本体
１２１ａ  フック部
１２２  ねじ軸
１２３  押し金具
１２４  カットスルー刃
１２５  連結金具
１３０  ケーブル部
【図１】
0006467975.tif 000002
【図２】
0006467975.tif 000003
【図３】
0006467975.tif 000004
【図４】
0006467975.tif 000005
【図５】
0006467975.tif 000006
【図６】
0006467975.tif 000007
【図７】
0006467975.tif 000008
【図８】
0006467975.tif 000009